【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
マトリクス状に配置した薄膜トランジスタと薄膜トランジスタで駆動される画素電極と薄膜トランジスタに画素形成のための電圧信号を供給する走査線および信号線を有する一方の基板と、赤色、緑色、青色３色のカラーフィルタを備えた他方の基板の貼り合わせ間隙に液晶層を挟持し、上記一方の基板の一周辺に走査線引出し端子と、他周辺に信号線引き出し端子と、
上記液晶パネルの上記走査線引出端子および信号線引出端子のそれぞれに出力端子を接続して上記一方の基板上に走査線駆動ＩＣおよび信号線駆動ＩＣを直接搭載する走査線駆動ＩＣ搭載領域および信号線駆動ＩＣ搭載領域を有し、
上記走査線引出し端子と信号線引き出し端子を共通に接続する静電気抑制共通線を切断除去領域に有する液晶表示装置であって、
上記静電気抑制共通線に接続する上記信号線引出端子の上記信号線駆動ＩＣ搭載領域で、上記信号線引出端子を赤色の正極、赤色の負極、緑色の正極、緑色の負極、青色の正極、青色の負極の６系統にまとめて接続した６本の信号線側共通線を備え、
上記信号線駆動ＩＣ搭載領域を外れた上記一方の基板上に、上記６本の信号線側共通線に接続する検査パッドを具備したことを特徴とする液晶表示装置。
【請求項２】
前記６本の信号線側共通線の検査パッドを前記一方の基板の切断除去領域に配置したことを特徴とする請求項１記載の液晶表示装置。
【請求項３】
マトリクス状に配置した薄膜トランジスタと薄膜トランジスタで駆動される画素電極と薄膜トランジスタに画素形成のための電圧信号を供給する走査線および信号線を有する一方の基板と、赤色、緑色、青色３色のカラーフィルタを備えた他方の基板の貼り合わせ間隙に液晶層を挟持し、上記一方の基板の一周辺に走査線引出し端子と、他周辺に信号線引き出し端子と、
上記液晶パネルの上記走査線引出端子および信号線引出端子のそれぞれに出力端子を接続して上記一方の基板上に走査線駆動ＩＣおよび信号線駆動ＩＣを直接搭載する走査線駆動ＩＣ搭載領域および信号線駆動ＩＣ搭載領域を有し、
上記走査線引出し端子と信号線引き出し端子を共通に接続する静電気抑制共通線を基板切断除去領域に有する液晶表示装置であって、
上記静電気抑制共通線に接続する上記走査線引出端子の上記走査線駆動ＩＣ搭載領域で、上記走査信号線引出端子を前段、次段および後段の３系統または、ドット毎に極性をかえるために４系統にまとめて接続した３または４本の走査線側共通線を備え、
上記静電気抑制共通線に接続する上記信号線引出端子の上記信号線駆動ＩＣ搭載領域で、上記信号線引出端子を赤色の正極、赤色の負極、緑色の正極、緑色の負極、青色の正極、青色の負極の６系統にまとめて接続した６本の信号線側共通線を備え、
上記走査線駆動ＩＣ搭載領域と上記信号線駆動ＩＣ搭載領域を外れた上記一方も基板上に、上記３〜４本の走査線側共通線と上記６本の信号線側共通線のそれぞれに検査パッドを具備したことを特徴とする液晶表示装置。
【請求項４】
前記３〜４本の走査線側共通線と前記６本の信号線側共通線の検査パッドを前記一方の基板の切断除去領域に配置したことを特徴とする請求項３記載の液晶表示装置。
【請求項５】
前記３又は４本の走査線側共通線と前記６本の信号線側共通線の検査パッドを前記一方の基板の切断除去領域に等間隔で配置したことを特徴とする請求項３記載の液晶表示装置。
【請求項６】
前記他方の基板に対向電極を有し、前記３又は４本の走査線側共通線と前記６本の信号線側共通線の検査パッドを前記一方の基板の切断除去領域に配置すると共に上記対向電極の引出し線に接続する検査パッドを上記３又は４本の走査線側共通線と前記６本の信号線側共通線の検査パッドと共に配置したことを特徴とする請求項３記載の液晶表示装置。
【請求項７】
前記一方の基板に対向電極を有し、前記３又は４本の走査線側共通線と前記６本の信号線側共通線の検査パッドを前記一方の基板の切断除去領域に配置すると共に上記対向電極の引出し線に接続する検査パッドを上記３又は４本の走査線側共通線と前記６本の信号線側共通線の検査パッドと共に配置したことを特徴とする請求項３記載の液晶表示装置。
【請求項８】
対向配置された一対の基板間に液晶材料層を有し、
前記基板のうちの一方の基板もしくは他方の基板に第1の色、第2の色、第3の色の3つの色のカラーフィルタを有し、
前記基板のうちの一方の基板に、マトリクス状に配置された複数の映像信号線と複数の走査信号線を有し、前記複数の映像信号線の内の隣接する2本と、前記複数の走査信号線の内の隣接する2本とが交差して形成された画素領域を複数有し、
各画素領域には少なくとも１つの薄膜トランジスタを有し、該薄膜トランジスタにより前記映像信号線から前記第1、第2あるいは第3の色のいずれかの色の表示を制御する電圧が入力される画素電極を有し、前記映像信号線は前記一方の基板の前記液晶層外に延在された領域に一体もしくは離間して映像信号線引き出し端子を該基板の少なくとも一周辺に有する液晶表示装置において、
少なくとも前記一方の基板上に第1の信号線共通線、第2の信号線共通線、第3の信号線共通線、第４の信号線共通線、第５の信号線共通線、第６の信号線共通線を備え、
第1の信号線共通線は前記第1の色の表示に関する映像信号線の内の隣接する一方に一体もしくは離間して設けられた前記映像信号線引き出し端子に接続され、
第２の信号線共通線は前記第２の色の表示に関する映像信号線の内の隣接する一方に一体もしくは離間して設けられた前記映像信号線引き出し端子に接続され、
第３の信号線共通線は前記第３の色の表示に関する映像信号線の内の隣接する一方に一体もしくは離間して設けられた前記映像信号線引き出し端子に接続され、
第４の信号線共通線は前記第1の色の表示に関する映像信号線の内の隣接する他方に一体もしくは離間して設けられた前記映像信号線引き出し端子に接続され、第５の信号線共通線は前記第２の色の表示に関する映像信号線の内の隣接する他方に一体もしくは離間して設けられた前記映像信号線引き出し端子に接続され、
第６の信号線共通線は前記第３の色の表示に関する映像信号線の内の隣接する他方に一体もしくは離間して設けられた前記映像信号線引き出し端子に接続された構成を有することを特徴とする液晶表示装置。
【請求項９】
対向配置された一対の基板間に液晶材料層を有し、
前記基板のうちの一方の基板もしくは他方の基板に第1の色、第2の色、第3の色の3つの色のカラーフィルタを有し、
前記基板のうちの一方の基板に、マトリクス状に配置された複数の映像信号線と複数の走査信号線を有し、前記複数の映像信号線の内の隣接する2本と、前記複数の走査信号線の内の隣接する2本とが交差して形成された画素領域を複数有し、
各画素領域には少なくとも１つの薄膜トランジスタを有し、該薄膜トランジスタにより前記映像信号線から前記第1、第2あるいは第3の色のいずれかの色の表示を制御する電圧が入力される画素電極を有し、
前記走査信号線は前記一方の基板の前記液晶層外に延在された領域に一体もしくは離間して走査信号線引き出し端子を該基板の少なくとも一周辺に有する液晶表示装置において、
少なくとも前記一方の基板上に２本、３本、もしくは４本の信号線共通線を備え、
前記信号線共通線は前記走査信号線に一体もしくは離間して設けられた前記走査信号線引き出し端子のいずれかに接続され、かつ隣接する信号線共通線は互いに隣接する走査信号線の内の異なった走査信号線引き出し端子に接続されていることを特徴とする液晶表示装置。
【請求項１０】
前記一方の基板上に前記映像信号線もしくは前記走査信号線の少なくとも一方の信号線駆動用ＩＣが搭載され、前記駆動用ＩＣが搭載される領域内で、前記信号線共通線と前記映像信号線引き出し端子もしくは前記走査信号線引き出し端子とが接続されていることを特徴とする、請求項８又は９に記載の液晶表示装置。
【請求項１１】
前記信号線共通線が、前記駆動用ＩＣが搭載される領域外の領域に検査用のパッドを有することを特徴とする、請求項８乃至１０の何れかに記載の液晶表示装置。
【請求項１２】
前記信号線共通線の一端が前記一方の基板の端面近傍まで延在していることを特徴とする、請求項８乃至１０の何れかに記載の液晶表示装置。
【請求項１３】
前記検査用のパッドが設けられた領域を複数有し、かつ少なくとも２つの検査用パッドが設けられた領域同士で、検査用パッドの配置がほぼ等しいことを特徴とする、請求項１２記載の液晶表示装置。
【請求項１４】
前記検査用のパッドが設けられた領域がほぼ等間隔で配置されていることを特徴とする、請求項１１に記載の液晶表示装置。
【請求項１５】
前記検査用のパッドがほぼ前記駆動用ＩＣ単位で設けられ、かつ前記検査用のパッドが設けられた領域の数が、前記駆動用ＩＣの数をｎ個とした場合、（ｎ−１）／２個以上、２×（ｎ＋１）個以下であることを特徴とする、請求項１１、１３あるいは１４の何れかに記載の液晶表示装置。
【請求項１６】
前記映像信号線もしくは前記走査信号線と、前記映像信号線引き出し端子もしくは前記走査信号線引き出し端子が離間され、かつ該離間がレーザーもしくはエッチングにより該映像信号線もしくは走査信号線を切断することにより為されていることを特徴とする、請求項８乃至１５の何れかに記載の液晶表示装置。
【請求項１７】
前記第1の色、第2の色、第3の色がそれぞれ赤、緑、青であることを特徴とする、請求項８乃至１５の何れかに記載の液晶表示装置。
【請求項１８】
前記第1の色、第2の色、第3の色がそれぞれ青緑、紫、黄であることを特徴とする、請求項８乃至１６の何れかに記載の液晶表示装置。
【請求項１９】
基準電極及び基準信号引き出し配線を前記一方の基板上に有することを特徴とする請求項８乃至１８の何れかに記載の液晶表示装置。
【請求項２０】
基準電極及び基準信号引き出し配線を前記一方の基板上に有し、前記基準信号引き出し配線と接続されたパッドが前記検査用パッドの近傍に配置されていることを特徴とする、請求項１１乃至１６の何れかに記載の液晶表示装置。
【請求項２１】
基準電極を前記他方の基板上に有し、基準信号引き出し配線を前記一方の基板上に有することを特徴とする請求項８乃至１８の何れかに記載の液晶表示装置。
【請求項２２】
基準電極を前記他方の基板上に有し、基準信号引き出し配線を前記一方の基板上に有し、前記基準信号引き出し配線と接続されたパッドが前記検査用パッドの近傍に配置されていることを特徴とする、請求項１１乃至１６の何れかに記載の液晶表示装置。
【請求項２３】
対向配置された一対の基板間に液晶材料層を有し、
前記基板のうちの一方の基板もしくは他方の基板に第1の色、第2の色、第3の色の3つの色のカラーフィルタを有し、
前記基板のうちの一方の基板に、マトリクス状に配置された複数の映像信号線と複数の走査信号線を有し、前記複数の映像信号線の内の隣接する2本と、前記複数の走査信号線の内の隣接する2本とが交差して形成された画素領域を複数有し、
各画素領域には少なくとも１つの薄膜トランジスタを有し、該薄膜トランジスタにより前記映像信号線から前記第1、第2あるいは第3の色のいずれかの色の表示を制御する電圧が入力される画素電極を有し、前記映像信号線は前記一方の基板の前記液晶層外に外部駆動回路との接続用端子領域を有する液晶表示装置において、
少なくとも前記一方の基板上の前記接続用端子領域以遠に第1の信号線共通線、第2の信号線共通線、第3の信号線共通線を形成し、
前記第1の信号線共通線は前記第1の色の表示に関する映像信号線と、前記接続用端子領域以遠で接続し、
前記第２の信号線共通線は前記第２の色の表示に関する映像信号線と、前記接続用端子領域以遠で接続し、
前記第３の信号線共通線は前記第３の色の表示に関する映像信号線と、前記接続用端子領域以遠で接続し、
前記第１、第２、第３の信号線共通線は検査用パッドにそれぞれ接続し、
該パッドに検査用信号を入力することにより液晶表示装置の点灯検査を行った後、前記信号線共通線が形成された領域を切断除去し形成されたことを特徴とする液晶表示装置。
【請求項２４】
対向配置された一対の基板間に液晶材料層を有し、
前記基板のうちの一方の基板もしくは他方の基板に第1の色、第2の色、第3の色の3つの色のカラーフィルタを有し、
前記基板のうちの一方の基板に、マトリクス状に配置された複数の映像信号線と複数の走査信号線を有し、前記複数の映像信号線の内の隣接する2本と、前記複数の走査信号線の内の隣接する2本とが交差して形成された画素領域を複数有し、
各画素領域には少なくとも１つの薄膜トランジスタを有し、該薄膜トランジスタにより前記映像信号線から前記第1、第2あるいは第3の色のいずれかの色の表示を制御する電圧が入力される画素電極を有し、前記映像信号線は前記一方の基板の前記液晶層外に外部駆動回路との接続用端子領域を有する液晶表示装置において、
少なくとも前記一方の基板上に第1の信号線共通線、第2の信号線共通線、第3の信号線共通線、第４の信号線共通線、第５の信号線共通線、第６の信号線共通線を備え、
前記第1の信号線共通線は前記第1の色の表示に関する映像信号線の内の隣接する一方と、前記接続用端子領域以遠で接続し、
前記第２の信号線共通線は前記第２の色の表示に関する映像信号線の内の隣接する一方と、前記接続用端子領域以遠で接続し、
前記第３の信号線共通線は前記第３の色の表示に関する映像信号線の内の隣接する一方と、前記接続用端子領域以遠で接続し、
前記第４の信号線共通線は前記第1の色の表示に関する映像信号線の内の隣接する他方と、前記接続用端子領域以遠で接続し、
前記第５の信号線共通線は前記第２の色の表示に関する映像信号線の内の隣接する他方と、前記接続用端子領域以遠で接続し、
前記第６の信号線共通線は前記第３の色の表示に関する映像信号線の内の隣接する他方と、前記接続用端子領域以遠で接続し、
前記第１、第２、第３、第４、第５、第６の信号線共通線は検査用パッドにそれぞれ接続し、
該パッドに検査用信号を入力することにより液晶表示装置の点灯検査を行った後、前記信号線共通線が形成された領域を切断除去し形成されたことを特徴とする液晶表示装置。
【請求項２５】
前記外部駆動回路がＴＣＰ上に実装されたドライバＩＣであることを特徴とする、請求項２５又は２４に記載の液晶表示装置。
【請求項２６】
対向配置された一対の基板間に液晶材料層を有し、
前記基板のうちの一方の基板もしくは他方の基板に第1の色、第2の色、第3の色の3つの色のカラーフィルタを有し、
前記基板のうちの一方の基板に、マトリクス状に配置された複数の映像信号線と複数の走査信号線を有し、前記複数の映像信号線の内の隣接する2本と、前記複数の走査信号線の内の隣接する2本とが交差して形成された画素領域を複数有し、
各画素領域には少なくとも１つの薄膜トランジスタを有し、該薄膜トランジスタにより前記映像信号線から前記第1、第2あるいは第3の色のいずれかの色の表示を制御する電圧が入力される画素電極を有し、前記映像信号線は前記一方の基板の前記液晶層外に外部駆動回路との接続用端子領域を有する液晶表示装置の製造方法において、
少なくとも前記一方の基板上の前記接続用端子領域以遠に第1の信号線共通線、第2の信号線共通線、第3の信号線共通線を形成し、
前記第1の信号線共通線は前記第1の色の表示に関する映像信号線と、前記接続用端子領域以遠で接続し、
前記第２の信号線共通線は前記第２の色の表示に関する映像信号線と、前記接続用端子領域以遠で接続し、
前記第３の信号線共通線は前記第３の色の表示に関する映像信号線と、前記接続用端子領域以遠で接続し、
前記第１、第２、第３の信号線共通線は検査用パッドにそれぞれ接続し、
該パッドに検査用信号を入力することにより液晶表示装置の点灯検査を行った後、前記信号線共通線が形成された領域を切断除去し形成されたことを特徴とする液晶表示装置の製造方法。
【請求項２７】
対向配置された一対の基板間に液晶材料層を有し、
前記基板のうちの一方の基板もしくは他方の基板に第1の色、第2の色、第3の色の3つの色のカラーフィルタを有し、
前記基板のうちの一方の基板に、マトリクス状に配置された複数の映像信号線と複数の走査信号線を有し、前記複数の映像信号線の内の隣接する2本と、前記複数の走査信号線の内の隣接する2本とが交差して形成された画素領域を複数有し、
各画素領域には少なくとも１つの薄膜トランジスタを有し、該薄膜トランジスタにより前記映像信号線から前記第1、第2あるいは第3の色のいずれかの色の表示を制御する電圧が入力される画素電極を有し、
前記走査信号線は前記一方の基板の前記液晶層外に外部駆動回路との接続用端子領域を有する液晶表示装置の製造方法において、
少なくとも前記一方の基板上に２本、３本、もしくは４本の信号線共通線を備え、
前記信号線共通線は前記走査信号線のいずれかと前記接続用端子領域以遠で接続し、かつ隣接する信号線共通線は互いに隣接する走査信号線の内の異なった走査信号線引き出し端子に接続し、
前記信号線共通線は検査用パッドにそれぞれ接続し、
該パッドに検査用信号を入力することにより液晶表示装置の点灯検査を行った後、前記信号線共通線が形成された領域を切断除去し形成されたことを特徴とする液晶表示装置の製造方法。
【請求項２８】
前記外部駆動回路がＴＣＰ上に実装されたドライバＩＣであることを特徴とする、請求項２６又は２７に記載の液晶表示装置の製造方法。